(57)【要約】  【課題】公園、歩道、博覧会場、駐車場、プラザ、広場、公開空地等の都市部における種々の場所で、人為的に植設される樹木を支持しながら施工するための樹木の支持施工方法と支持施工用具に関し、自然環境破壊の観点から、主として木製の杭を使用し、しかも支持施工のための作業を従来に比べて非常に容易にし、且つ支持施工に使用する部材のコストも低減することのできる樹木の支持施工方法と支持施工用具を提供することを課題とする。  【解決手段】樹木の根鉢に沿って複数の杭を地面に打ち込み、前記複数の杭の上部にそれぞれ掛止具を取り付け、前記根鉢の上面に外側掛け回し材を掛け回すとともに該外側掛け回し材を前記掛止具に掛止し、次に、内側掛け回し材を前記外側掛け回し材の前記掛止具から離間した位置に掛止して前記根鉢の上面に掛け回し、その後、締付手段によって前記外側掛け回し材を締め付けることを特徴とする。【選択図】図２３
2008193972.tif 000002
【特許請求の範囲】
【請求項１】
樹木（２６）の根鉢（２７）に沿って複数の杭（１）を地面に打ち込み、前記複数の杭（１）の上部にはそれぞれ掛止具（２）を取り付け、前記根鉢（２７）の上面に外側掛け回し材を掛け回すとともに該外側掛け回し材を前記掛止具（２）に掛止し、内側掛け回し材を前記外側掛け回し材の前記掛止具（２）から離間した位置に掛止して前記根鉢（２７）の上面に掛け回し、その後、締付手段によって前記外側掛け回し材を締め付けることを特徴とする樹木の支持施工方法。
【請求項２】
締付手段によって外側掛け回し材を締め付けた後、さらに複数の杭（１）を地中に打ち込む請求項１記載の樹木の支持施工方法。
【請求項３】
締付手段が、外側掛け回し材に取り付けられたウインチ（５）である請求項１又は２記載の樹木の支持施工方法。
【請求項４】
樹木（２６）の根鉢（２７）に沿って地面に打ち込むための複数の杭（１）と、前記複数の杭（１）の上部にそれぞれ取り付けられる掛止具（２）と、前記根鉢（２７）の上面に掛け回わされて前記掛止具（２）に掛止される外側掛け回し材と、該外側掛け回し材の前記掛止具（２）から離間した位置に掛止して前記根鉢の上面に掛け回わされる内側掛け回し材と、前記外側掛け回し材を締め付けるための締付手段とを具備して構成されていることを特徴とする樹木の支持施工用具。
【請求項５】
締付手段が、外側掛け回し材に取り付けられたウインチ（５）である請求項４記載の樹木の支持施工用具。
【発明の詳細な説明】
【技術分野】
【０００１】
本発明は、樹木の支持施工方法と、支持施工用具、さらに詳しくは、公園、歩道、博覧会場、駐車場、プラザ、広場、公開空地等の都市部における種々の場所で、人為的に植設される樹木を支持しながら施工するための樹木の支持施工方法と、支持施工用具に関する。
【背景技術】
【０００２】
近年、都市緑化等の要請が高まり、それに応じて都市部における種々の場所、たとえば、公園、歩道、博覧会場、駐車場、プラザ、広場、公開空地等の場所で、人為的に植設される樹木を支持しながら施工するための施工方法が実施されている。そして、このような支持施工方法においては、樹木の根鉢を地下部分で固定する必要があり、そのような支持施工方法や支持施工用具として従来から種々の方法や用具が採用されている。
【０００３】
たとえば、根鉢の周囲にワイヤー等の紐状体を掛け回し、その紐状体をアンカー等の打込部材に係止し、その打込部材を地中に打ち込んで根鉢を固定する方法や、そのアンカーに代えて根鉢を載置材に載置し、その載置材に紐状体を掛け回して根鉢を固定する方法、或いは根鉢の側面に沿って杭状の部材を打ち込む方法等が用いられているが、これらの方法に用いられる支持施工用具の多くは金属製のものである。
【０００４】
ところが、これらの支持施工用具は、根鉢を固定する目的で根鉢の周囲に設置されることから、一般には土中に埋設してそのまま放置される。しかし、金属製のこれらの支持施工用具が土中に埋設した状態でそのまま放置されることは、自然環境破壊の観点からは、本来好ましいものでない。
【０００５】
そこで、このような点に鑑みて、たとえば木製の杭を根鉢の側面に沿って打ち込むような方法も行われており、このような方法として、たとえば下記特許文献１のような特許出願がなされている。
【０００６】
すなわち、この特許文献１に記載された方法は、根鉢の周面に沿って木製の支持杭を打ち込むとともに、その支持杭に木製の根枷部材を横向きに取り付けて施工する方法である。
【０００７】
しかしながら、この特許文献１に記載された方法では、２つのリングを有する根枷取付具のうちの１つのリングに杭を差し込み、他のリングに根枷部材を差し込むことによって根枷部材が２本の杭に跨がるように取り付けられるため、このようなリングに杭と根枷部材とを差し込んで施工する作業自体が煩雑であるという問題があった。
【０００８】
【特許文献１】特開２００４−７３０７５号公報
【発明の開示】
【発明が解決しようとする課題】
【０００９】
本発明は、このような問題点を解決するためになされたもので、自然環境破壊の観点から、主として木製の杭を使用し、しかも支持施工のための作業を従来に比べて非常に容易にし、且つ支持施工に使用する部材のコストも低減することのできる樹木の支持施工方法と支持施工用具を提供することを課題とするものである。
【課題を解決するための手段】
【００１０】
本発明は、このような課題を解決するために、樹木の支持施工方法と、その支持施
工方法に用いる支持施工用具としてなされたもので、樹木の支持施工方法としての特徴は、樹木の根鉢に沿って複数の杭を地面に打ち込み、前記複数の杭の上部にはそれぞれ掛止具を取り付け、前記根鉢の上面に外側掛け回し材を掛け回すとともに該外側掛け回し材を前記掛止具に掛止し、内側掛け回し材を前記外側掛け回し材の前記掛止具から離間した位置に掛止して前記根鉢の上面に掛け回し、その後、締付手段によって前記外側掛け回し材を締め付けることである。
【００１１】
さらに支持施工用具としての特徴は、樹木の根鉢に沿って地面に打ち込むための複数の杭と、前記複数の杭の上部にそれぞれ取り付けられる掛止具と、前記根鉢の上面に掛け回わされて前記掛止具に掛止される外側掛け回し材と、該外側掛け回し材の前記掛止具から離間した位置に掛止して前記根鉢の上面に掛け回わされる内側掛け回し材と、前記外側掛け回し材を締め付けるための締付手段とを具備して構成されていることである。
【００１２】
締付手段によって外側掛け回し材を締め付けた後、さらに複数の杭を地中に打ち込むことも可能である。
【００１３】
締付手段として、たとえばウインチのようなものが用いられる。このウインチは、外側掛け回し材に取り付けることによって、その締付力を好適に作用させることができる。
【発明の効果】
【００１４】
本発明においては、上述のように、樹木の根鉢に沿って複数の杭を地面に打ち込み、その杭の上部に掛止具を取り付け、その掛止具に、根鉢の上面に掛け回す外側掛け回し材をと掛止するとともに、外側掛け回し材の掛止具から離間した位置に内側掛け回し材を掛止し、締付手段によって外側掛け回し材を締め付けることによって、施工することができ、このような複数の杭、掛止具、２種類の掛け回し材、及びウインチ等の締付手段のみを用いて施工することができるので、上記従来の技術の根枷部材のようなものを用いる煩雑さもなく、樹木の支持施工のための作業を簡易に行うことができるという効果がある。
【００１５】
また、複数の杭、掛止具、２種類の掛け回し材、及びウインチ等の締付手段のみで支持施工用具が構成されているので、支持施工に使用する部材のコストも従来に比べて低減することができるという効果がある。
【００１６】
そして上記内側掛け回し材は、施工後一定年数経過して、幹が太くなる等樹木が生育したときに、幹巻き用として樹木の幹部を支持するように好適に機能し、さらに外側掛け回し材は、根鉢の上面に掛け回わされて根鉢の固定用として好適に機能することとなり、さらに外側掛け回し材が掛止具を介して掛止された複数の杭によって根鉢が固定されるので、上記のような簡易な構成でありながら、樹木の支持施工用具として樹木を含む根鉢全体を好適に支持することができるのである。
【００１７】
また、締付手段によって外側掛け回し材を締め付けた後、さらに複数の杭を地中に打ち込む場合には、外側掛け回し材によって根鉢を固定する作用がより好適に生じることとなる。
【発明を実施するための最良の形態】
【００１８】
以下、本発明の実施形態について図面に従って説明する。
【００１９】
（実施形態１）
本実施形態の支持施工用具は、図１乃至図１１に示すように、根鉢の側面に沿って地面に打ち込むための木製の杭１と、該杭１に取り付けられる掛止具２と、該掛止具２に掛止されて根鉢の上面に掛け回わされる外側掛け回し材の一例としての外側掛け回しベルト３と、該外側掛け回しベルト３に掛止されて、根鉢の上面における前記外側掛け回しベルト３よりも樹木の幹部側に近い位置に掛け回わされる内側掛け回し材の一例としての内側掛け回しベルト４と、前記外側掛け回しベルト３を締め付けるためのウインチ５と、前記外側掛け回しベルト３の一端側が掛止されて前記ウインチ５に同軸的に取り付けられる取付金具６と、前記内側掛け回しベルト４を固定するための固定金具７とを具備して構成されている。
【００２０】
杭１は、図１に示すように、一般の丸太杭の形態に形成されたもので、その下端１ａが地面に打ち込み可能に、尖って形成されている。
【００２１】
掛止具２は、図２乃至図４に示すように、前記杭１への取付部分となる取付片８と、
前記外側掛け回しベルト３の掛止部分となるフック片９とで構成されている。取付片８とフック片９とは、ともに、鉄等の金属で構成されており、該取付片８の前面側に前記フック片９が溶接されて取付片８とフック片９とが一体化されることによって、前記掛止具２が構成されているのである。
【００２２】
フック片９は、図２乃至図４に示すように、前記取付片８への取付部分となる取付部９ａと、該取付部９ａよりも幅広に形成されて該取付部９ａの上部に立ち上がり形成された立ち上がり部９ｂと、該立ち上がり部９ｂの上部折曲部９ｃから下向き且つ外側へ湾曲しつつ延出された先端掛止部９ｄとで構成されている。取付部９ａの中央やや下側には、釘の挿入部分となる小さい円形の孔１０が穿設されている。
【００２３】
前記立ち上がり部９ｂは、上向きに徐々に幅広となるように両側がテーパ状に形成され、前記先端掛止部９ｄは、前記上部折曲部９ｃから下向きに徐々に幅狭となるように両側がテーパ状に形成されている。このような状態で立ち上がり部９ｂと先端掛止部９ｄとがテーパ状に形成されている結果、上部折曲部９ｃの近傍が最も幅広くなるように設定されていることになる。これは、該上部折曲部９ｃの近傍が、外側掛け回しベルト３の直接的な掛止部分となるからである。
【００２４】
取付片８は、図２に示すように横長の略長方形状に形成されており、左右両側に複数の長孔１１が穿設されている。本実施形態においては、左右両側に５条ずつ、取付片８の全体で計１０条の長孔１１が穿設されている。このように計１０条の長孔１１が穿設されていることによって、後述するように、取付片８を断面円形の杭１の外周面に沿って湾曲させることが可能となるのである。
【００２５】
また取付片８の中央やや下側には、釘の挿入部分となる小さい円形の孔１２が穿設されている。この取付片８の孔１２と前記フック片９の孔１０とは、図２乃至４に示すように連通状態となるように、その位置が設定されている。
【００２６】
ウインチ５は、図５、７、８に示すように、外側掛け回しベルト３の端部を取り付ける軸部１３を具備し、さらに該軸部１３の片側に取り付けられたラチェット１４と、該ラチェット１４に係止可能な係止体１５とを具備して構成されている。前記軸部１３の所定位置には図７のように長孔１６が穿設されており、さらにウインチボディ５ａの上面側にも図５のように長孔１７が穿設されている。これら軸部１３とウインチボディ５ａとに穿設された長孔１６、１７は、いずれも外側掛け回しベルト３の挿入部分となるものである。ウインチ５は、全体が鉄等の金属で構成されている。
【００２７】
取付金具６は、図６に示すように略ホームベース形に形成された鉄等の金属製のものであり、幅広な一端６ａ側には、外側掛け回しベルト３を挿入するための長孔１８が穿設されており、先細な他端６ｂ側には、前記取付金具６を前記ウインチ５に同軸的に取り付けるためのボルト２０の挿入部分となる円形の孔１９が穿設されている。そして、図６のように外側掛け回しベルト３が長孔１８に挿入されて、該外側掛け回しベルト３が取付金具６に取り付けられている。
【００２８】
ウインチボディ５ａの上面側には、図５、７の点線で示すように、略三角形状の孔２１が穿設されており、その孔２１と前記取付金具６の孔１９とが連通状態となるように配置された上で、ボルト２０が孔１９、２１の挿入されることとなる。そして、図７に示すようにボルト２０にワッシャ２２及びナット２３が取り付けられることによって、取付金具６がウインチ５に同軸的に取り付けられることとなる。この場合、取付金具６がウインチ５に対して回動自在となるように、前記ボルト２０はナット２３に緩めに螺合されている。これによって、ウインチ５の締付力が、該ウインチ５側に取り付けられる外側掛け回しベルト３の端部のみならず、取付金具６側に取り付けられる外側掛け回しベルト３の端部にも好適に作用することとなり、外側掛け回しベルト３の張力が好適に生じることとなるのである。
【００２９】
外側掛け回しベルト３の素材としては、たとえば麻、綿等の天然繊維、ポリアミド等の合成繊維等、一般に汎用されている素材のものを用いることができる。また、ポリ乳酸、ポリブチレンサクシネート等生分解樹脂からなる繊維のものを用いることもできる。さらに、内側掛け回しベルト４の素材としても、外側掛け回しベルト３と同様に麻、綿等の天然繊維、ポリアミド等の合成繊維、生分解樹脂からなる繊維等を用いることができる。
【００３０】
内側掛け回しベルト４を固定するための固定金具７は、図９及び図１０に示すように、全体が略正方形状に形成されているとともに、２条の長孔２４が穿設されている。この固定金具７は鉄等の金属で構成されている。
【００３１】
本実施形態においては、図１１に示すように２個の固定金具７を準備し、その２個の固定金具７の長孔２４がほぼ連通するような状態となるように配置した上で、同図のように内側掛け回しベルト４の一端側４ａ側及び他端４ｂ側を２個の固定金具７の長孔２４に挿入し、外側に配置された固定金具７の周囲に巻装した後、内側に配置された固定金具７の長孔２４に再度挿入するとともに、その内側の固定金具７の周囲に巻装する。結果として、内側掛け回しベルト４の一端側４ａ側及び他端４ｂ側は、図１１に示すように２個の固定金具７の長孔２４に挿入されるとともに、その２個の固定金具７に断面略Ｓ字状となるように巻装されて固定されることとなる。
【００３２】
次に、上記のような構成からなる樹木の支持施工用具を用いて、樹木の支持施工を行う方法について説明する。先ず、図１２に示すように、予め形成された植穴２５内に樹木２６の根鉢２７を収納し、その底壁面２８に根鉢２７を載置する。
【００３３】
次に、根鉢２７の側面に沿って、杭１を植穴２５の底壁面２８に打ち込む。それに先立って、杭１には、掛止具２を取り付けておく。すなわち、図１３乃至図１５に示すように、掛止具２の取付片８を、断面円形の杭１の外周面に沿うように湾曲させ、杭１の外周面に接触させる。この場合において、掛止具２の取付片８には上述のように左右両側に５条ずつ、計１０条の長孔１１が穿設されているので、取付片８が金属製のものであるにもかかわらず、その取付片８を断面円形の杭１の外周面に沿って容易に湾曲させることができる。
【００３４】
そして、その状態で図１３乃至図１５に示すように、釘２９をフック片９及び取付片８に連通状態となっている孔１０、１２に挿入しつつ、杭１に打ち込む。このようにして掛止具２が杭１に取り付けられることとなる。尚、掛止具２は、図１３及び図１４に示すように、杭１の上端１ｂよりも少し下側に位置するように取り付けられる。
【００３５】
上述のように杭１に掛止具２を予め取り付けた上で、ハンマー等によって、図１６及び図１７に示すように杭１を根鉢２７の側面に沿って底壁面２８に打ち込む。この場合、杭１は、図１６に示すように、やや内向きに傾いた状態となるように打ち込む。本実施形態では、図１７に示すように計３本の杭１を根鉢２７の側面に沿って略等間隔の位置に打ち込む。尚、打ち込み後の杭１の高さは、図１６に示すように杭１の上端が根鉢２７の上面よりも少し高くなるような位置に設定され、また図１７に示すように、掛止具２のフック片９が外側に向くように、杭１の打ち込むべき向きが設定される。底壁面２８には、図１６に示すように予め予備客土３０を盛っておくことが望ましい。
【００３６】
次に、図１８及び図１９に示すように、外側掛け回しベルト３を根鉢２７の上面に掛け回すとともに、その外側掛け回しベルト３を掛止具２に掛止させる。より詳しくは、図１３乃至図１５に示すように、掛止具２のフック片９、特に先端側先端掛止部９ｄの位置で外側掛け回しベルト３が掛止されることとなる。この場合において、掛止具２が取り付けられた３本の杭１は、根鉢の周囲に沿って略等間隔の位置に打ち込まれているので、外側掛け回しベルト３は、図１９に示すように、平面視において略正三角形をなすように掛け回わされることとなる。
【００３７】
また、この場合において、掛止具２のフック片９は、取付片８への取付部分となる取付部９ａの上部に立ち上がり形成された立ち上がり部９ｂと、該立ち上がり部９ｂの上部折曲部９ｃから下向き且つ外側へ湾曲しつつ延出された先端掛止部９ｄとで構成されて、全体がフック状に形成されているので、そのフック片９から外側掛け回しベルト３が不用意に離脱するようなこともない。
【００３８】
しかも、フック片９の立ち上がり部９ｂが上向きに徐々に幅広となるように両側がテーパ状に形成され、先端掛止部９ｄが上部折曲部９ｃから下向きに徐々に幅狭となるように両側がテーパ状に形成されており、結果として、上部折曲部９ｃの近傍がもっとも幅広くなるように構成されているので、外側掛け回しベルト３はフック片９に好適に掛止されることとなるのである。
【００３９】
このように外側掛け回しベルト３が根鉢の上面に掛け回わされた状態において、外側掛け回しベルト３の両端部は、図１９に示すようにウインチ５と取付金具６とに取り付けられた状態となっている。より詳しくは、図２０に示すように、外側掛け回しベルト３の一端３ａ側が取付金具６の長孔１８に挿入され、外側掛け回しベルト３の他端３ｂ側がウインチ５の長孔１７に挿入されて、外側掛け回しベルト３の両端部がウインチ５と取付金具６とに取り付けられることとなる。
【００４０】
尚、このように外側掛け回しベルト３を根鉢の上面に掛け回わし、掛止具２に掛止した状態においては、未だウインチ５による締付けは行われておらず、従って、外側掛け回しベルト３は、図１９に示すように少し弛んだ状態となっている。
【００４１】
次に、図２１及び図２２に示すように、内側掛け回しベルト４を、根鉢の上面であって樹木２６の幹部に比較的近い位置に掛け回し、且つ前記外側掛け回しベルト３に掛止させる。この場合、内側掛け回しベルト４は、略正三角形をなすように根鉢の上面に掛け回わされた外側掛け回しベルト３の３辺の部分に掛止され、結果として内側掛け回しベルト４自体も平面視において略正三角形をなし、且つ外側掛け回しベルト３の内側に包囲されるように、根鉢の上面に掛け回わされることとなる。
【００４２】
この場合、内側掛け回しベルト４の両端部４ａ、４ｂは、上記図１１に示すように
して固定金具７で固定される。
【００４３】
そして、このように外側掛け回しベルト３に内側掛け回しベルト４を掛止して、それぞれを根鉢の上面に掛け回した後、外側掛け回しベルト３をウインチ５で締め付ける。上記図２２のように、内側掛け回しベルト４を外側掛け回しベルト３に掛止した直後においては、同図に示すように、内側掛け回しベルト４によって外側掛け回しベルト３が少し絞り込まれたような状態となっているが、外側掛け回しベルト３をウインチ５で締め付けることによって、図２３のように外側掛け回しベルト３が真っ直ぐに張設されたような状態となる。このように外側掛け回しベルト３が張設されることによって根鉢２７が固定されるとともに、その外側掛け回しベルト３の張設力が上記掛止具２を介して複数の杭１に作用し、その複数の杭１による根鉢２７側への押圧力によって根鉢２７を固定する作用がさらに増大することとなる。
【００４４】
次に、図２４の矢印方向に示すように、打ち込まれていた状態から、さらに杭１を地中に打ち込む。この場合、杭１の上端部が根鉢の上面よりも少し下側に位置するように杭１の打ち込み位置を設定する。
【００４５】
その後、植穴２５内に土を入れて植穴２５を閉塞することによって、樹木の支持施工が完成する。
【００４６】
尚、上記実施形態では、根鉢２７の側面に沿って計３本の杭１を地面に打ち込んだが、打ち込む杭１の本数も上記実施形態に限定されるものではなく、たとえば４本の杭１を打ち込むことも可能である。要は、複数の杭１が根鉢１７の側面に沿って打ち込まれていればよいのである。
また、上記実施形態では、予め掛止具２を複数の杭１にそれぞれ取り付けた後に、その複数の杭１を根鉢２７に沿って地面に打ち込んだが、これとは逆に、複数の杭１を地面に打ち込んだ後に、掛止具２を杭１に取り付けることも可能であり、その手順の前後は問わない。ただし、作業性の観点からは、上記実施形態のように予め掛止具２を杭１に取り付けた後に、杭１を地面に打ち込むことが望ましい。
さらに、上記実施形態では、外側掛け回しベルト３を根鉢２７の上面に掛け回した後に、その外側掛け回しベルト３に内側掛け回しベルト４を掛け回したが、予め内側掛け回しベルト４を外側掛け回しベルト３に掛け回しておいて、その内側掛け回しベルト４が掛け回わされた外側掛け回しベルト３を根鉢２７の上面に掛け回すことも可能である。ただし、作業性の観点からは、外側掛け回しベルト３を根鉢２７の上面に掛け回した後に、外側掛け回しベルト３に内側掛け回しベルト４を掛け回すことが望ましい。
【００４７】
また、上記実施形態では、掛止具２が上記のような取付片８やフック片９を具備して構成されていたが、掛止具２の構成も上記実施形態に限定されるものではない。また、ウインチ５や取付金具６の構成等も、上記実施形態に限定されるものではなく、本発明の意図する範囲内で任意に変更可能である。
さらに、上記実施形態では、外側掛け回し部材や内側掛け回し部材として、平板状の形状に形成された外側掛け回しベルト３や内側掛け回しベルト４を用いたが、外側掛け回し部材や内側掛け回し部材の形状も該実施形態の平板状の形状に形成されたものに限らず、たとえば断面円形のロープ状に形成されたものを用いてもよい。さらに、締付手段として、ウインチ５に代えて、他の締付手段を用いることも可能である。
さらに、上記実施形態では、杭１をやや内向きに傾いた状態として打ち込んだので、
杭１の略全体が根鉢２７に接触せずに、その一部が根鉢２７から少し離間する可能性があるが、杭１の略全体を根鉢２７に接触させることは条件とはならない。すなわち、本発明において「根鉢１７に沿って杭１を地面に打ち込む」とは、杭１を根鉢に接触させるか否かは問わずに杭１を根鉢１７に沿わせることを意味する。
【００４８】
尚、本発明においては、上述のように自然環境破壊の観点から、木製の杭１を用いることを主眼とするが、木製のものに限らず、金属製の杭を用いる場合も本発明の範囲に含まれる。また、本発明は、一般の地盤に予め形成された植穴１５内に根鉢１７を収納して樹木を支持施工する、いわゆる地下支柱の施工に適用することを主眼とするが、このような一般の地盤の他、人工地盤における樹木の支持施工に本発明を適用することも可能である。このような人工地盤に用いる場合には、植穴１５の形成は必要なく、根鉢１７を埋設するよう人工土壌を積層することによって樹木の支持施工をすることができる。
【図面の簡単な説明】
【００４９】
【図１】一実施形態の支持施工用具の杭の正面図。
【図２】掛止具の正面図。
【図３】同側面図。
【図４】図２のＡ−Ａ線断面図。
【図５】ウインチに取付金具を取り付けた状態の平面図。
【図６】取付金具の平面図。
【図７】ウインチに取付金具を取り付けた状態の底面図。
【図８】同側面図。
【図９】固定金具の平面図。
【図１０】図９のＢ−Ｂ線断面図。
【図１１】固定金具に内側掛け回しベルトを掛け回した状態の断面図。
【図１２】根鉢を植穴内に収納する状態の概略側面図。
【図１３】掛止具を杭に取り付ける状態を示す正面図。
【図１４】同概略側面図。
【図１５】同一部断面概略底面図。
【図１６】杭を打ち込んだ状態の概略側面図。
【図１７】同概略平面図。
【図１８】外側掛け回しベルトを掛け回した状態の概略側面図。
【図１９】同概略平面図。
【図２０】ウインチに外側掛け回しベルトを取り付けた要部拡大平面図。
【図２１】内側掛け回しベルトを外側掛け回しベルトに取り付けた状態の概略側面図。
【図２２】同概略平面図。
【図２３】ウインチで締め付けた状態の概略平面図。
【図２４】杭をさらに打ち込んだ状態の概略側面図。
【符号の説明】
【００５０】
１…杭                    ２…掛止具
３…外側掛け回しベルト    ４…内側掛け回しベルト
５…ウインチ
【図１】
2008193972.tif 000003
【図２】
2008193972.tif 000004
【図３】
2008193972.tif 000005
【図４】
2008193972.tif 000006
【図５】
2008193972.tif 000007
【図６】
2008193972.tif 000008
【図７】
2008193972.tif 000009
【図８】
2008193972.tif 000010
【図９】
2008193972.tif 000011
【図１０】
2008193972.tif 000012
【図１１】
2008193972.tif 000013
【図１２】
2008193972.tif 000014
【図１３】
2008193972.tif 000015
【図１４】
2008193972.tif 000016
【図１５】
2008193972.tif 000017
【図１６】
2008193972.tif 000018
【図１７】
2008193972.tif 000019
【図１８】
2008193972.tif 000020
【図１９】
2008193972.tif 000021
【図２０】
2008193972.tif 000022
【図２１】
2008193972.tif 000023
【図２２】
2008193972.tif 000024
【図２３】
2008193972.tif 000025
【図２４】
2008193972.tif 000026